(57)【要約】【課題】簡単な構成にてメモリーカードの着脱操作が行える様に構成する事を目的とする。【解決手段】下ケース２の後部にて上ケース３を開閉自在に枢支すると共に、下ケースと上ケース内に磁気カードを搬送する搬送機構と、磁気カードに磁気データを記録及び記録された磁気データを読み出す記録再生機構を内蔵したものにおいて、下ケース内の適所にメモリーカード２３のカードスロット２２を装着し、上ケースの開閉によってメモリーカードの着脱が行える様に構成して成るものである。【選択図】    図１
2004157762.tif 000002
【特許請求の範囲】
【請求項１】
下ケースの後部にて上ケースを開閉自在に枢支すると共に、上記下ケースと上ケース内に磁気カードを搬送する搬送機構と、上記磁気カードに磁気データを記録及び記録された磁気データを読み出す記録再生機構を内蔵したものにおいて、上記下ケース内の適所にメモリーカードのカードスロットを装着し、上記上ケースの開閉によって上記メモリーカードの着脱が行える様に構成した事を特徴とする磁気カードリーダ。
【請求項２】
上記下ケースの搬送機構の前端部より下方に開口を設け、この開口部に対向位置して上記スロットを配置すると共に、上記上ケースの前端部に、上記開口を開閉しかつ磁気カードの挿入口を備えた前パネルを一体的に装着した事を特徴とする、上記請求項１に記載の磁気カードリーダ。
【請求項３】
上記下ケース内を仕切板にて上下に区画し、この仕切板の下方に電源回路を収納すると共に、仕切板の上に上記搬送機構を載置し、かつ上記仕切板と搬送機構との間に搬送機構等を制御する回路基板を配置し、この回路基板に上記カードスロットを搭載した事を特徴とする、上記請求項１〜２に記載の磁気カードリーダ。
【発明の詳細な説明】
【０００１】
【発明の属する技術分野】
本発明は、プリペイドカード等の磁気カードに磁気データを記録したり、記録されたデータを読み出す磁気カードリーダ内に、顧客データ等を記憶するメモリーカードを内蔵した磁気カードリーダに関する。
【０００２】
【従来の技術】
プリペイドカードや銀行カード等の磁気カードに磁気データを記録、及び磁気カードに記録された磁気データを読み取る磁気カードリーダでは、例えば特許文献１に示される様に、下部筐体１３に上部筐体１２を開閉自在に枢支すると共に、上部筐体の前端部にメモリーカード１８の着脱を行う為のカバー１７を設け、メモリーカードを着脱する場合には、カバーを開いて着脱操作を行う様に構成している。
【０００３】
【特許文献１】
特開２０００−４８１４２号公報
【０００４】
【発明が解決しようとする課題】
その為、上記構成では、例えば誤ってメモリーカードを途中迄挿入した状態でスライダ２０を操作し、上部筐体１２を開いた場合、カバー１７の一部がメモリーカードに当たって損傷する恐れがある。又上記構成では、上ケースの開閉機構以外にカバーの開閉機構を必要とし、部品点数の増加によるコストアップを招くという問題もある。
【０００５】
そこで本発明は、カードリーダ本体内にメモリーカードを内蔵するものにおいて、比較的安価な構成にてメモリーカードの着脱操作が行える様に構成する事を目的とするものである。
【０００６】
【課題を解決するための手段】
本発明は、下ケースの後部にて上ケースを開閉自在に枢支すると共に、下ケースと上ケース内に磁気カードを搬送する搬送機構と、磁気カードに磁気データを記録及び記録された磁気データを読み出す記録再生機構を内蔵したものにおいて、下ケース内の適所にメモリーカードのカードスロットを装着し、上ケースの開閉によってメモリーカードの着脱が行える様に構成したものである。
【０００７】
又本発明は、下ケースの搬送機構の前端部より下方に開口を設け、この開口部に対向位置してスロットを配置すると共に、上ケースの前端部に、開口を開閉しかつ磁気カードの挿入口を備えた前パネルを一体的に装着して成るものである。
【０００８】
更に本発明は、下ケース内を仕切板にて上下に区画し、この仕切板の下方に電源回路を収納すると共に、仕切板の上に搬送機構を載置し、かつ仕切板と搬送機構との間に搬送機構等を制御する回路基板を配置し、この回路基板にカードスロットを搭載して成るものである。
【０００９】
【発明の実施の形態】
本発明の実施例を、先ず図１に基づき説明すると、１は樹脂製の本体ケースで、下ケース２と、この下ケースの後端上部にて開閉自在に枢支された上ケース３とで構成し、この上ケースの天面には、売上金額等を入力するキーボード４と、入力された情報を表示する液晶表示器５とを配置している。
【００１０】
又、上記下ケース２の前面には凹状の開口６を切欠き形成していると共に、上ケース３の前面にこの開口を開閉自在に閉塞する前パネル７を装着し、かつこの前パネルの上ケース３に対向位置する部分に磁気カードの挿入口８を開口している。
【００１１】
更に上記下ケース２内は、図２にても示す様に仕切板９により内部を上下に区画し、この仕切板の下方に電源回路１０を収納していると共に、上記仕切板の上に、上記挿入口８から挿入された磁気カードを搬送し、このカードに記録された磁気データを読み取ったり、磁気データを記録するための下ユニット１１を載置している。
【００１２】
そして、上記下ユニット１１は、左右一対の支持フレーム１２，１２の上端に、磁気カードを挿入して直線状に移動するガイドレール１３，１３を装着し、かつこれらガイドレール間に複数の搬送用のローラ１４・・を配設している。尚、これらのローラはローラ軸１５・・に一体回転状態に装着され、これらローラ軸にて回転駆動され、上記ガイドレール１３，１３やローラ１４・・等にて搬送機構を構成している。
【００１３】
一方、上記上ケース３内には、上記支持フレーム１２，１２の後端部にて枢支軸１６により開閉自在に枢支された上ユニット１７を収納していると共に、この上ユニットを構成する上フレーム１８には、上記ローラ１４・・等に対向位置して複数のローラ１９・・を回転自在に支持し、これらのローラと上記ローラ１４・・との間に磁気カードを挟んで搬送する。
【００１４】
２０は、上記仕切板９と下ユニット１１間に装着した制御用の回路基板で、上記ローラ軸１５・・を回転駆動する図示しないモータや、上記下ユニット１１に装着した磁気ヘッド２１の出力データを処理して、磁気カードに記録された磁気データを読み取り、かつ磁気カードへの書き込みデータを作成する記録再生回路を装着していると共に、前端部の上記開口６に対向位置してカードスロット２２を装着し、このカードスロットに、顧客データ等を記憶するメモリーカード２３を着脱自在に装着する様に構成している。
【００１５】
２４，２４は、上記支持フレーム１２，１２の前端部に回転軸２５にて所定角度回転自在に枢支された鉤状の樹脂製ロック爪で、先端に一体形成した鉤溝２６，２６に上記上フレーム１８に固定した係合ピン２７，２７が係入することで、上フレーム１８を閉じた状態に支持フレーム１２，１２に係合する。
【００１６】
尚、上記ロック爪２４，２４は、上記下ケース２の右側面前端部にて前後方向にスライド自在に装着された解除摘み２８のスライド操作により、実施例では時計方向に回転操作され、係合ピン２７，２７と鉤溝２６，２６との係合が解除され、図１にて示す様に上ケース３が上方に開く様に構成している。
【００１７】
そして、上記上ケース３を開くことで、ローラ１４・・，１９・・の掃除等の内部機構のメンテナンス、並びに図３にても示すメモリーカード２３の着脱操作を行う事が出来るものである。
【００１８】
これらの構成により、上ケース３の開閉機構を利用してメモリーカード２３の着脱操作を行うことができ、メモリーカード専用の開閉蓋等を設ける必要性がなく、部品点数の削減によるコストダウン等を計る事が出来るものである。
【００１９】
又、メモリーカード２３の着脱用として下ケース２の前端部に開口６を設け、この開口を上ケース３の前端部に装着した前パネルにて開閉する様に構成したことで、メモリーカード２３の着脱時に、磁気カードを搬送するローラ等の搬送機構のチェックを同時に行う事が出来るものである。
【００２０】
更に、下ケース内を上下に区画する仕切板９と下ケース内に収納する搬送機構との間に回路基板２０を装着し、この回路基板の前端部にカードスロット２２を搭載したことで、カードスロット専用の回路基板を設ける必要がなく、部品点数の削減による組立て工数の削減やコストダウンを計る事が出来るものである。
【００２１】
【発明の効果】
本発明の構成により、下ケースに上ケースを開閉自在に枢支し、これらのケース内に磁気カードの搬送機構を収納したものにおいて、上記下ケース内の適所にメモリーカードのカードスロットを装着し、上記上ケースの開閉によってメモリーカードの着脱を行う様に構成したことで、メモリーカード専用の開閉蓋を設ける必要がなく、比較的簡単な構成にて、メモリーカードの着脱を行う事が出来るものである。
【００２２】
又本発明の構成により、下ケースの前端部に開口を設けると共に、上ケースに上記開口を開閉する前パネルを装着し、かつ上記開口に対向位置して下ケース内にカードスロットを装着したことで、上ケースの開閉により、メモリーカードの着脱と搬送機構のメンテナンスを同時に行う事ができ、使い勝手等を向上する事が出来るものである。
【００２３】
更に本発明の構成により、下ケース内を仕切板により上下に区画し、この仕切板の上に搬送機構を載置すると共に、この搬送機構と仕切板との間に回路基板を配設し、かつこの回路基板にカードスロットを搭載したことで、カードスロット専用の回路基板を設ける必要がなく、部品点数の削減等によるコストダウンを計る事が出来るものである。
【図面の簡単な説明】
【図１】本発明による実施例を示す上ケースを開いた状態の斜視図である。
【図２】同じく側面図である。
【図３】同じくメモリーカードの着脱操作を示す斜視図である。
【符号の説明】
２    下ケース
３    上ケース
６    開口
７    前パネル
８    挿入口
９    仕切板
１０  電源回路
２０  回路基板
２２  カードスロット
２３  メモリーカード
【図１】
2004157762.tif 000003
【図２】
2004157762.tif 000004
【図３】
2004157762.tif 000005